(57)【要約】【課題】市販の５枚切り食パン及び６枚切り食パンをサンドウィッチ用に容易に半分の厚さに切るための食パン用簡易スライス補助器を提供する。【解決手段】食パン用簡易スライス補助器は、上部が開口され、パン片を投入可能な開口部と、所定の間隔をもって配置されて開口部が形成され、投入されたパン片を挟持する一対の挟持板（板３）と、所定の間隔をもって配置されて開口部が形成され、投入されたパン片を切断するパン切り包丁をガイドする間隙部が略中央に形成された一対の側枠板（板２）と、挟持板（板３）及び側枠板（板２）が固着された基台板（板４）と、で構成される。基台板（板４）の上部に、間隙部と連なり間隙部と略直交する溝が形成される下板（板１）が設けられている。また、５枚切り食パン用の食パン用簡易スライス補助器に、２枚の調整板（板５）を使用することで、６枚切り食パンにも使用可能となる。【選択図】図１
2018121895.tif 000002
【特許請求の範囲】
【請求項１】
上部が開口され、パン片を投入可能な開口部と、
所定の間隔をもって配置されて前記開口部が形成され、投入されたパン片を挟持する一対の挟持板と、
所定の間隔をもって配置されて前記開口部が形成され、投入されたパン片を切断するパン切り包丁をガイドする間隙部が略中央に形成された一対の側枠板と、
前記挟持板及び前記側枠板が固着された基台板と、
で構成され、
前記把持板と前記側枠板と前記基台とで構成される各側面が平坦である食パン用簡易スライス補助器。
【請求項２】
上部が開口され、パン片を投入可能な開口部と、
所定の間隔をもって配置されて前記開口部が形成され、投入されたパン片を挟持する一対の挟持板と、
所定の間隔をもって配置されて前記開口部が形成され、投入されたパン片を切断するパン切り包丁をガイドする間隙部が略中央に形成された一対の側枠板と、
前記挟持板及び前記側枠板が固着された基台板と、
で構成され、
前記挟持板及び前記側枠板は、前記挟持板の方が薄板であり、前記側枠板の方が厚板である食パン用簡易スライス補助器。
【請求項３】
前記挟持板及び前記側枠板は、透明又は半透明である請求項１又は２記載の食パン用簡易スライス補助器。
【請求項４】
前記側枠板の下端部には開口孔が形成されている請求項１から３のいずれか記載の食パン用簡易スライス補助器。
【請求項５】
前記基台板の上部に、前記間隙部と連なり前記間隙部と略直交する溝が設けられている請求項１から４のいずれか記載の食パン用簡易スライス補助器。
【請求項６】
前記基台板の上部に、前記間隙部と連なり前記間隙部と略直交する溝が形成される下板が設けられている請求項１から４のいずれか記載の食パン用簡易スライス補助器。
【請求項７】
前記一対の挟持板内に挿入して使用する一対の調整板を有する請求項１から６のいずれか記載の食パン用簡易スライス補助器。
【発明の詳細な説明】
【技術分野】
【０００１】
本発明は、市販の５枚切り食バン及び６枚切り食パンを、手軽にサンドウィッチ等用に半分の厚さに切るための補助器に関するものである。
【背景技術】
【０００２】
市販されている食パンスライサーは、一斤サイズ等の食パンを好みの厚さに切るために、縦に置いて横切りするか、横に置いて縦切りするものである。また、市販の５枚切り食パン及び６枚切り食パンを半分の厚さに切るためには、多くの場合、食パンを寝かせて、目視で少しずつ横切りしているのが現状である。
【０００３】
一方で、市販の食パンを半分に切ることができる器具として、特許文献１〜４に記載のものが提案されている。特許文献１の食パン薄切具は、開閉可能な挟持板の内面にパン片を挿入し把持片を握り締めながらナイフで押し切りするものである。特許文献２〜４も、特許文献１と同様の機能を有している。
【先行技術文献】
【特許文献】
【０００４】
【特許文献１】実公昭５０−１９５６７号公報
【特許文献２】米国特許第５，９４６，９９８号
【特許文献３】米国特許第２，４２９，７５６号
【特許文献４】米国特許第２，９１８，０９９号
【発明の概要】
【発明が解決しようとする課題】
【０００５】
解決しようとする問題点は、市販の５枚切り食パン及び６枚切り食パンを半分の厚さに切る際に、刃物による危険を伴う点、寝かせて目視で切ることが難しく食パンの厚さが均一にならない点、作業時間がかかる点である。
【課題を解決するための手段】
【０００６】
本発明の食パン用簡易スライス補助器は、上部が開口され、パン片を投入可能な開口部と、所定の間隔をもって配置されて前記開口部が形成され、投入されたパン片を挟持する一対の挟持板と、所定の間隔をもって配置されて前記開口部が形成され、投入されたパン片を切断するパン切り包丁をガイドする間隙部が略中央に形成された一対の側枠板と、前記挟持板及び前記側枠板が固着された基台板と、で構成される。
【０００７】
本発明によれば、上部が開口された開口部は、パン片の出し入れを容易にして作業時間の短縮となる。また、特許文献１〜４の開閉式ではパンを切る際に開閉部分が開かないよう常に閉じる力が必要となるが、本発明は開閉式ではないことからそのような配慮は不要である。パンを切る際に注力すべき点が減り、刃物による注意力や厚さを均一にする注意力が散漫することがない。
【０００８】
本発明の食パン用簡易スライス補助器は、前記把持板と前記側枠板と前記基台とで構成される各側面が平坦である。
【０００９】
本発明によれば、食パン用簡易スライス補助器の筐体は、把持板と側枠板と基台とで構成されており、平面・底面・左側面・右側面・正面・背面の各側面が平坦であることから、寝かせる面を気にすることなく、どの面を寝かせてもパン片を容易に切断することができる。少なくとも、正面・背面の各側面が平坦であればよい。この点、特許文献１〜４では基台が位置する底面を下にして切断せざるを得ず、他の面を寝かせると基台が邪魔になるという不都合が生じる。これでは、寝かせて切ることが難しく、食パンの厚さを均一にすることが難しい場合もある。また、どの面を寝かせてもよいことで、パン片の切断を容易にして作業時間の短縮となる。
【００１０】
本発明の食パン用簡易スライス補助器は、前記挟持板の方が薄板であり、前記側枠板の方が厚板である
【００１１】
本発明によれば、薄板の挟持板は、挿入されたパン片に外側から内側への押圧力を伝えることができ、パン片を切断する際にパン片がパン切り包丁の進行力でズレてしまい厚みが均一にならないという弊害を防ぐことができる。また、厚板の側枠板は、食パン用簡易スライス補助器の全体強度を保持することができる。このように、機能保持の点から挟持板と側枠板の素材や材質を異ならせ、利便性の良い食パン用簡易スライス補助器を提供することができる。
【００１２】
本発明の食パン用簡易スライス補助器は、前記挟持板及び前記側枠板は、透明又は半透明である。
【００１３】
本発明によれば、透明又は半透明の挟持板及び側枠板を用いることで、パン片を目視で確認しながらの切断することができる。
【００１４】
本発明の食パン用簡易スライス補助器は、前記側枠板の下端部には開口孔が形成されている。
【００１５】
本発明によれば、開口孔（空穴）からパン片のパンくずを容易に清掃することができ衛生的である。開口孔（空穴）は指が入る位の隙間があればよい。なお、開口孔（空穴）の隙間を互い違いに開けることで、全部開けるよりは高い違いに開けた方が補助器の強度を保つことができる。
【００１６】
本発明の食パン用簡易スライス補助器は、前記基台板の上部に、前記間隙部と連なり前記間隙部と略直交する溝が設けられている。或いは、本発明の食パン用簡易スライス補助器は、前記基台板の上部に、前記間隙部と連なり前記間隙部と略直交する溝が形成される下板が設けられている。
【００１７】
本発明によれば、基台板の上部に溝が設けられている、或いは、基台板の上部に溝が形成される下板が設けられていることで、間隙部と略直交する溝が存在している。これにより、パン片は溝の上部に載上する一方、パン切り包丁の刃先は溝の下端にまで到達することから、切り残しがなくパン片を完全に切断することができる。
【００１８】
本発明の食パン用簡易スライス補助器は、前記一対の挟持板内に挿入して使用する一対の調整板を有する。
【００１９】
本発明によれば、一対の調整板を一対の挟持板内に挿入して使用する。例えば、５枚切り食パン用の食パン用簡易スライス補助器に、２枚の調整板を使用することで、６枚切り食パンにも使用可能となる。
【発明の効果】
【００２０】
本発明によれば、５枚切り又は６枚切りというパン片の大きさに合わせて作った食パン用簡易スライス補助器は、パン片を挟んで固定して用意に半分の厚さに切ることができ、刃物による危険を回避し、寝かせて目視で切ることを容易にし、厚さの均一を保持しつつ作業時間の短縮を図ることができる。
【図面の簡単な説明】
【００２１】
【図１】本実施形態に係る食パン用簡易スライス補助器の斜視図。
【図２】本実施形態に係る食パン用簡易スライス補助器の上面図（平面図）。
【図３】本実施形態に係る食パン用簡易スライス補助器の正面図（前面図）。
【図４】本実施形態に係る食パン用簡易スライス補助器の側面図。
【図５】本実施形態に係る他の食パン用簡易スライス補助器の斜視図。
【発明を実施するための最良の形態】
【００２２】
以下、本発明の実施の形態に係る食パン用簡易スライス補助器について説明する。なお、食パン用簡易スライス補助器の組立て方については一例を示している。
【００２３】
（イ）  まず、板１（下板）の両端に板２（側枠板）を直角に接着剤で固定して、コの字状の枠を制作する。板１，板２は透明のプラスチック製であり、各々の長さは食パンの長さを目安とし、コの字状の枠の内径はパン片がゆったり挟まる寸法とする。板１，板２の奥行きは、包丁の厚さを考慮して、５枚切り食パン又は６枚切り食パンの半分の厚さより１ｍｍ程度短めにする。
【００２４】
（ロ）  （イ）で制作したコの字状の枠の片側面に透明のプラスチック製の板３（挟持板）を接着剤で固定する。板３（挟持板）は薄板、それに比べて板２（側枠板）は厚板である。或いは、板３（挟持板）を柔軟なプラスチック製、板２（側枠板）を木製としてもよい。
【００２５】
（ハ）  （ロ）で制作した部品を２個用意し、プラスチック製又は木製の板４（基台板）を底として板４の周縁に沿うように接着剤で固定する。板４の幅（奥行き）は、パン片と同じ厚みとし、高さは１ｃｍ程度、横（長辺）の長さはパン片よりやや長めである。（ロ）で制作した部品を板４に固定する際に若干の隙間ができるように板４が設計されており、この隙間が間隙部として形成される。このようにして、一対の挟持板と、一対の側枠板と、挟持板及び側枠板が固着された基台板と、が構成される。
【００２６】
（ニ）  パン片を補助器の上部開口から挿入して固定し、包丁やパン切りナイフを間隙部の上から挿入してパン片を切り進める。
【００２７】
なお、図１〜図５では、板４（基台板）の上部に板１（下板）が固定されている例を示している。板４（基台板）の上部に直接溝が形成される場合には、板１（下板）がなくても、切り残しがなくパン片を完全に切断することができる。
【００２８】
また、一対の板５（調整板）を一対の板３（挟持板）内に挿入して使用し、５枚切り食パン用の食パン用簡易スライス補助器が６枚切り食パンにも使用可能となる。なお、板５（調整板）の厚みは板３（挟持板）と同じである。
【産業上の利用可能性】
【００２９】
本発明の食パン用簡易スライス補助器は、市販の５枚切り食パン及び６枚切り食パンを、手軽にサンドウィッチ用に半分の厚さに切ることができる。また、５枚切り用の食パン用簡易スライス補助器に、調整板を２枚入れることで６枚切り食パンにも使用可能となる。
【符号の説明】
【００３０】
１  板１（下板）
２  板２（側枠板）
３  板３（挟持板）
４  板４（基台板）
５  板５（調整板）
【図１】
2018121895.tif 000003
【図２】
2018121895.tif 000004
【図３】
2018121895.tif 000005
【図４】
2018121895.tif 000006
【図５】
2018121895.tif 000007
【手続補正書】
【提出日】平成29年4月2日(2017.4.2)
【手続補正１】
【補正対象書類名】特許請求の範囲
【補正対象項目名】請求項１
【補正方法】変更
【補正の内容】
【請求項１】
上部が開口され、パン片を投入可能な開口部と、
所定の間隔をもって配置されて前記開口部が形成され、投入されたパン片を挟持する一対の挟持板と、
所定の間隔をもって配置されて前記開口部が形成され、投入されたパン片を切断するパン切り包丁をガイドする間隙部が略中央に形成された一対の側枠板と、
少なくとも前記側枠板が固着された基台板と、
で構成され、
前記把持板と前記側枠板と前記基台とで構成される各側面が平坦である食パン用簡易スライス補助器。
【手続補正２】
【補正対象書類名】特許請求の範囲
【補正対象項目名】請求項２
【補正方法】変更
【補正の内容】
【請求項２】
上部が開口され、パン片を投入可能な開口部と、
所定の間隔をもって配置されて前記開口部が形成され、投入されたパン片を挟持する一対の挟持板と、
所定の間隔をもって配置されて前記開口部が形成され、投入されたパン片を切断するパン切り包丁をガイドする間隙部が略中央に形成された一対の側枠板と、
少なくとも前記側枠板が固着された基台板と、
で構成され、
前記挟持板及び前記側枠板は、前記挟持板の方が薄板であり、前記側枠板の方が厚板である食パン用簡易スライス補助器。
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
上部が開口され、パン片を投入可能な開口部と、
所定の間隔をもって略平行に対向配置されて前記開口部が形成され、投入されたパン片を挟持する一対の挟持板と、
所定の間隔をもって略平行に対向配置されて前記開口部が形成され、投入されたパン片を切断するパン切り包丁を前記挟持板と略平行な方向にガイドする間隙部が略中央に形成された一対の側枠板と、
少なくとも前記側枠板が固着された基台板と、
で構成され、
前記挟持板と前記側枠板と前記基台板とで構成される各側面のうち、前記挟持板及び前記基台板で構成される少なくとも一側面が平坦である食パン用簡易スライス補助器。
【請求項２】
前記挟持板及び前記側枠板は、前記挟持板の方が薄板であり、前記側枠板の方が厚板である請求項１記載の食パン用簡易スライス補助器。
【請求項３】
前記挟持板及び／又は前記側枠板は、透明又は半透明である請求項１又は２記載の食パン用簡易スライス補助器。
【請求項４】
前記側枠板の下端部には開口孔が形成されている請求項１から３のいずれか記載の食パン用簡易スライス補助器。
【請求項５】
前記基台板の上部に、前記間隙部と連なり前記間隙部と略直交する溝が設けられている請求項１から４のいずれか記載の食パン用簡易スライス補助器。
【請求項６】
前記基台板の上部に、前記間隙部と連なり前記間隙部と略直交する溝が形成される下板が設けられている請求項１から４のいずれか記載の食パン用簡易スライス補助器。
【請求項７】
前記一対の挟持板内に挿入して使用する一対の調整板を有する請求項１から６のいずれか記載の食パン用簡易スライス補助器。
【手続補正２】
【補正対象書類名】明細書
【補正対象項目名】０００６
【補正方法】変更
【補正の内容】
【０００６】
本発明の食パン用簡易スライス補助器は、上部が開口され、パン片を投入可能な開口部と、所定の間隔をもって略平行に対向配置されて前記開口部が形成され、投入されたパン片を挟持する一対の挟持板と、所定の間隔をもって略平行に対向配置されて前記開口部が形成され、投入されたパン片を切断するパン切り包丁を前記挟持板と略平行な方向にガイドする間隙部が略中央に形成された一対の側枠板と、少なくとも前記側枠板が固着された基台板と、で構成される。
【手続補正３】
【補正対象書類名】明細書
【補正対象項目名】０００８
【補正方法】変更
【補正の内容】
【０００８】
本発明の食パン用簡易スライス補助器は、前記挟持板と前記側枠板と前記基台板とで構成される各側面が平坦であるか、各側面のうち、前記挟持板及び前記基台板で構成される少なくとも一側面が平坦である。
【手続補正４】
【補正対象書類名】明細書
【補正対象項目名】０００９
【補正方法】変更
【補正の内容】
【０００９】
本発明によれば、食パン用簡易スライス補助器の筐体は、挟持板と側枠板と基台板とで構成されており、平面・底面・左側面・右側面・正面・背面の各側面が平坦であることから、寝かせる面を気にすることなく、どの面を寝かせてもパン片を容易に切断することができる。少なくとも、正面・背面の各側面が平坦であればよい。この点、特許文献１〜４では基台が位置する底面を下にして切断せざるを得ず、他の面を寝かせると基台が邪魔になるという不都合が生じる。これでは、寝かせて切ることが難しく、食パンの厚さを均一にすることが難しい場合もある。また、どの面を寝かせてもよいことで、パン片の切断を容易にして作業時間の短縮となる。
【手続補正５】
【補正対象書類名】明細書
【補正対象項目名】００１２
【補正方法】変更
【補正の内容】
【００１２】
本発明の食パン用簡易スライス補助器は、前記挟持板及び／又は前記側枠板は、透明又は半透明である。
【手続補正６】
【補正対象書類名】明細書
【補正対象項目名】００１３
【補正方法】変更
【補正の内容】
【００１３】
本発明によれば、透明又は半透明の挟持板や側枠板を用いることで、パン片を目視で確認しながらの切断することができる。
【手続補正書】
【提出日】平成29年7月12日(2017.7.12)
【手続補正１】
【補正対象書類名】特許請求の範囲
【補正対象項目名】請求項１
【補正方法】変更
【補正の内容】
【請求項１】
上部が開口され、パン片を投入可能な開口部を有し、
所定の間隔をもって略平行に対向配置されて前記開口部が形成され、投入されたパン片に外側から内側への押圧力を伝えることができ、パン片を切断する際のズレを防ぐためにパン片を挟持する平板矩形状の一対の挟持板と、
前記一対の挟持板の各々と外側から固着されており、所定の間隔をもって略平行に対向配置されて前記開口部が形成され、投入されたパン片を切断するパン切り包丁を前記挟持板と略平行な方向にガイドする間隙部が略中央に形成された一対の側枠板と、
少なくとも前記側枠板が固着された基台板と、
で筐体が構成され、
前記筐体の各側面のうち、前記挟持板及び前記基台板で構成される少なくとも一側面が平坦である食パン用簡易スライス補助器。
【手続補正２】
【補正対象書類名】明細書
【補正対象項目名】０００６
【補正方法】変更
【補正の内容】
【０００６】
本発明の食パン用簡易スライス補助器は、上部が開口され、パン片を投入可能な開口部を有し、所定の間隔をもって略平行に対向配置されて前記開口部が形成され、投入されたパン片に外側から内側への押圧力を伝えることができ、パン片を切断する際のズレを防ぐためにパン片を挟持する平板矩形状の一対の挟持板と、前記一対の挟持板の各々と外側から固着されており、所定の間隔をもって略平行に対向配置されて前記開口部が形成され、投入されたパン片を切断するパン切り包丁を前記挟持板と略平行な方向にガイドする間隙部が略中央に形成された一対の側枠板と、少なくとも前記側枠板が固着された基台板と、で筐体が構成される。
【手続補正３】
【補正対象書類名】明細書
【補正対象項目名】０００８
【補正方法】変更
【補正の内容】
【０００８】
本発明の食パン用簡易スライス補助器は、前記挟持板と前記側枠板と前記基台板とで構成される筐体の各側面が平坦であるか、各側面のうち、前記挟持板及び前記基台板で構成される少なくとも一側面が平坦である。
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
上部が開口され、パン片を投入可能な開口部を有し、
所定の間隔をもって略平行に対向配置されて前記開口部が形成され、投入されたパン片に外側から内側への押圧力を伝えることができ、パン片を切断する際のズレを防ぐためにパン片を挟持する柔軟な素材又は材質よりなる平板矩形状の一対の挟持板と、
前記一対の挟持板の各々と外側から固着されており、所定の間隔をもって略平行に対向配置されて前記開口部が形成され、投入されたパン片を切断するパン切り包丁を前記挟持板と略平行な方向にガイドする間隙部が略中央に形成された前記挟持板に対して強固な素材又は材質よりなる一対の側枠板と、
少なくとも前記側枠板が固着された基台板と、
で筐体が構成され、
前記筐体の各側面のうち、前記挟持板及び前記基台板で構成される少なくとも一側面が平坦である食パン用簡易スライス補助器。
【請求項２】
前記挟持板及び前記側枠板は、前記挟持板の方が薄板であり、前記側枠板の方が厚板である請求項１記載の食パン用簡易スライス補助器。
【請求項３】
前記挟持板及び／又は前記側枠板は、透明又は半透明である請求項１又は２記載の食パン用簡易スライス補助器。
【請求項４】
前記側枠板の下端部には開口孔が形成されている請求項１から３のいずれか記載の食パン用簡易スライス補助器。
【請求項５】
前記基台板の上部に、前記間隙部と連なり前記間隙部と略直交する溝が設けられている請求項１から４のいずれか記載の食パン用簡易スライス補助器。
【請求項６】
前記基台板の上部に、前記間隙部と連なり前記間隙部と略直交する溝が形成される下板が設けられている請求項１から４のいずれか記載の食パン用簡易スライス補助器。
【請求項７】
前記一対の挟持板内に挿入して使用する一対の調整板を有する請求項１から６のいずれか記載の食パン用簡易スライス補助器。
【手続補正２】
【補正対象書類名】明細書
【補正対象項目名】０００６
【補正方法】変更
【補正の内容】
【０００６】
本発明の食パン用簡易スライス補助器は、上部が開口され、パン片を投入可能な開口部を有し、所定の間隔をもって略平行に対向配置されて前記開口部が形成され、投入されたパン片に外側から内側への押圧力を伝えることができ、パン片を切断する際のズレを防ぐためにパン片を挟持する柔軟な素材又は材質よりなる平板矩形状の一対の挟持板と、前記一対の挟持板の各々と外側から固着されており、所定の間隔をもって略平行に対向配置されて前記開口部が形成され、投入されたパン片を切断するパン切り包丁を前記挟持板と略平行な方向にガイドする間隙部が略中央に形成された前記挟持板に対して強固な素材又は材質よりなる一対の側枠板と、少なくとも前記側枠板が固着された基台板と、で筐体が構成される。